(57)【特許請求の範囲】
【請求項１】
分割された複数の分割ステータコアを含み、
複数の分割ステータコアの各々は、半径方向に延びる第一端面と、その第一端面と対向するように半径方向に延びる第二端面とを有し、
所定の分割ステータコアの第一端面は隣接する分割ステータコアの第二端面と接触し、前記第一および第二端面には凹部または凸部が形成され、前記第一端面の凹部または凸部に前記第二端面の凸部または凹部が嵌まり合い、前記第一および第二端面の一方には第一および第二端面の他方と接触して弾性変形するように、他の部分に比べて弾性変形しやすい変形部が設けられ、
前記凹部および凸部は円周方向に対して傾斜した１対の傾斜辺を有し、その傾斜辺に前記変形部が設けられ、
前記凹部および凸部の一方には前記変形部の後側にスリットが設けられており、
前記変形部は前記凹部および凸部の他方から押圧されることにより前記スリット側へ変形し、変形した前記変形部から前記凹部および凸部の他方へ力が加えられることにより、前記傾斜辺による調心機能を発揮する、ステータ。
【発明の詳細な説明】
【技術分野】
【０００１】
この発明は、ステータに関し、より特定的には、複数の分割ステータコアを備えたステータに関するものである。
【背景技術】
【０００２】
従来、ステータは、たとえば特開２００８−２２６１４号公報（特許文献１）、特開２００９−４４８０３号公報（特許文献２）、特開２００９−７９５５号公報（特許文献３）および特開２００９−８１０６号公報（特許文献４）に開示されている。
【先行技術文献】
【特許文献】
【０００３】
【特許文献１】特開２００８−２２６１４号公報
【特許文献２】特開２００９−４４８０３号公報
【特許文献３】特開２００９−７９５５号公報
【特許文献４】特開２００９−８１０６号公報
【発明の概要】
【発明が解決しようとする課題】
【０００４】
特許文献１では、分割コアのバックヨーク周方向接合部において、一端側が円弧状凸部、他端側が円弧状凹部として調心機能が持たされた構造が開示されている。
【０００５】
特許文献２では、分割コアの接合両端は３６０°を分割コアで割った角度βよりも小さくして接合端面の内径側で応力を集中させて真円度を得る構成が開示されている。
【０００６】
特許文献３では、分割コアの接合面を、ｒ、θおよびｚ方向に物理的に固定する構成が開示されている。
【０００７】
特許文献４では、分割コアの接合端面がほぼ台形状で凸部からの応力集中部にかしめ部を設ける構成が開示されている。
【０００８】
従来の技術では、組付け寸法やコア部材の寸法のばらつきにより凹部と凸部が十分に嵌合しない場合や、十分な調心機能が得られないという問題があった。
【０００９】
そこで、この発明は上述のような問題点を解決するためになされたものであり、十分な調心機能を発揮させることが可能なステータを提供することを目的とする。
【課題を解決するための手段】
【００１０】
この発明に従ったステータは、分割された複数の分割ステータコアを含み、複数の分割ステータコアの各々は、半径方向に延びる第一端面と、その第一端面と対向するように半径方向に延びる第二端面とを有し、所定の分割ステータコアの第一端面は隣接する分割ステータコアの第二端面と接触し、第一および第二端面には凹部または凸部が形成され、第一端面の凹部または凸部に第二端面の凸部または凹部が嵌まり合い、第一および第二端面の一方には第一および第二端面の他方と接触して弾性変形するように、他の部分に比べて弾性変形しやすい変形部が設けられ、凹部および凸部は円周方向に対して傾斜した１対の傾斜辺を有し、その傾斜辺に変形部が設けられ、凹部および凸部の一方には変形部の後側にスリットが設けられており、変形部は凹部および凸部の他方から押圧されることによりスリット側へ変形し、変形した変形部から凹部および凸部の他方へ力が加えられることにより、傾斜辺による調心機能を発揮する。
【００１１】
このように構成されたステータでは、変形部が変形して相手部材を押圧することが可能であるため、凹部と凸部とを確実にかみ合わせて調心機能を発揮させることができる。
【発明の効果】
【００１４】
この発明に従えば、調心機能を発揮させることが可能なステータを提供することができる。
【図面の簡単な説明】
【００１５】
【図１】この発明の実施の形態１に従ったステータにおいて２つの分割ステータコアが嵌合した状態の平面図である。
【図２】図１中のＩＩで囲んだ、２つの分割ステータコアの嵌合部分を拡大して示す図である。
【図３】図２で示すステータにおいて２つの分割ステータコアが離れた状態を示す図である。
【図４】この発明の実施の形態２に従ったステータにおいて、各々の分割ステータコアが離れた状態に位置した図である。
【図５】図４で示す２つの隣接する分割ステータコアが嵌合した状態を示す図である。
【図６】この発明の実施の形態３に従ったステータにおいて、各々の分割ステータコアが離れた状態に位置した図である。
【図７】図６で示す２つの隣接する分割ステータコアが嵌合した状態を示す図である。
【図８】この発明の実施の形態４に従ったステータにおいて、各々の分割ステータコアが離れた状態に位置した図である。
【図９】図８で示す２つの隣接する分割ステータコアが嵌合した状態を示す図である。
【図１０】この発明の実施の形態５に従ったステータにおいて、各々の分割ステータコアが離れた状態に位置した図である。
【図１１】図１０で示す２つの隣接する分割ステータコアが嵌合した状態を示す図である。
【発明を実施するための形態】
【００１６】
以下、この発明の実施の形態について、図面を参照して説明する。なお、以下の実施の形態では同一または相当する部分については同一の参照符号を付し、その説明については繰返さない。また、各実施の形態を組合せることも可能である。
【００１７】
（実施の形態１）
図１は、この発明の実施の形態１に従ったステータにおいて２つの分割ステータコアが嵌合した状態の平面図である。図１を参照して、ステータ１は分割ステータコア１０を有する。複数の分割ステータコア１０が互いに嵌め合わせられることでステータ１を構成している。分割ステータコア１０は第一端面１１０および第二端面１２０を有する。第一端面１１０および第二端面１２０は分割ステータコア１０の周方向の長さを規定する。分割ステータコア１０の外周面１８は円弧状である。外周面１８に対向する内周面１７側には複数本のティース１６が設けられている。なお、複数本のティース１６は、分割ステータコア１０の内径側に向かって延びている。必ずしも複数本のティース１６が設けられる必要はなく、１本のティース１６のみが設けられていてもよい。ティース１６間にスロット１０１が形成される。スロット１０１にはコイルが巻かれる。巻かれるコイルは丸型または矩形状の銅線により構成される。この例では、分布巻きのステータを示しているが、これに限られるものではなく、集中巻きのステータにこの発明に従った構造を採用してもよい。
【００１８】
互いに対向する第一端面１１０および第二端面１２０は分割ステータコア１０の両端に設けられる。分割ステータコア１０のバックヨーク１９の周方向の一部分の接合端面が台形状である。
【００１９】
図２は、図１中のＩＩで囲んだ、２つの分割ステータコアの嵌合部分を拡大して示す図である。図２を参照して、分割ステータコア１０の接触面では、第一端面１１０と第二端面１２０とが接触している。第一端面１１０には凸部１２が設けられ、第二端面１２０には凹部１１が設けられている。凸部１２の傾斜辺（傾斜面）１２５には、弾性変形可能な変形部１３が設けられている。変形部１３と凸部１２との間にはスリット１４が設けられており、スリット１４側に変形部１３が移動することで変形部１３が弾性変形することが可能となっている。図１で示すように、両側の傾斜辺１２５に変形部１３が設けられている。矢印２００で示す方向に比べて傾斜辺１２５は傾斜している。舌辺形状の変形部１３がスリット１４の前側に設けられており、傾斜辺１２５に沿って延びている。
【００２０】
図３は、図２で示すステータにおいて２つの分割ステータコアが離れた状態を示す図である。図３を参照して、分解された状態では、変形部１３が凹部１１側へ突出する。すなわち、図３で示すように、凹部１１側へ突出した変形部１３は、図２で示すように凹部１１から押圧されることでスリット１４側へ変形する。そして変形した変形部１３から凹部１１側へ力が加えられることにより、凹部１１と凸部１２との嵌合がより確実に行なわれ、かつ傾斜辺１２５，１１５による調心機能を発揮することができる。
【００２１】
すなわち、ステータコアとしてのステータ１は分割された複数の分割ステータコア１０を含む。複数の分割ステータコア１０の各々は、半径方向に延びる第一端面１１０と、その第一端面１１０と対向するように半径方向に延びる第二端面１２０とを有する。ある分割ステータコア１０の第二端面１２０と接触する。第一端面１１０および第二端面１２０には、凹部１１または凸部１２が形成される。凸部１２には、相手方と接触して弾性変形するように、他の部分に比べて弾性変形しやすい変形部１３が設けられている。変形部１３は凸部１２に設けられている。凸部１２は１対の傾斜辺１２５を含み、その傾斜辺に変形部１３が設けられている。そして変形部１３が変形したときに変形部を受入れるスリット１４が設けられている。変形部１３が第二端面１２０と接触していないときには、図３で示すように、変形部１３は外側へ突出している。これに対して、変形部１３が第二端面１２０と接触した場合には、図２で示すように変形部１３がスリット１４側に変形する。変形部１３が変形しやすいように、スリット１４が変形部１３に隣接して設けられており、スリット１４は、変形部１３が第二端面１２０から力が加えられたときに、変形部１３が撓む方向に設けられる。
【００２２】
この実施の形態では、嵌合部を台形形状とすることで調心機能を持たせ、スリット１４により形成される変形部１３を弾性域内で変形させることにより、寸法のばらつきを吸収させることが可能となる。
【００２３】
（実施の形態２）
図４は、この発明の実施の形態２に従ったステータにおいて、各々の分割ステータコアが離れた状態に位置した図である。図５は、図４で示す２つの隣接する分割ステータコアが嵌合した状態を示す図である。図４および図５を参照して、実施の形態２では、変形部１３が付け根から先端方向に向かって外周側へ延びている点で、付け根から先端部分に向かって内周側へ延びている図３で示す実施の形態１に従った構造と異なる。
【００２４】
このように構成された実施の形態２に従ったステータの分割ステータコアでも、実施の形態１に従った分割ステータコアと同様の効果がある。
【００２５】
（実施の形態３）
図６は、この発明の実施の形態３に従ったステータにおいて、各々の分割ステータコアが離れた状態に位置した図である。図７は、図６で示す２つの隣接する分割ステータコアが嵌合した状態を示す図である。
【００２６】
図６を参照して、この発明の実施の形態３に従ったステータ１では、凹部１１側に変形部１３が設けられている点で、実施の形態１に従ったステータ１と異なる。変形部１３は傾斜面１１５に沿って設けられており、スリット１４と傾斜面１１５との間に変形部１３が設けられている。
【００２７】
図７で示すように、凸部１２の傾斜辺１２５により変形部１３が押圧されてスリット１４側へ変形する。これにより、変形部１３から凸部１２へ力が加えられることで調心機能を持たせ、かつ寸法のばらつきを低減することができる。
【００２８】
（実施の形態４）
図８は、この発明の実施の形態４に従ったステータにおいて、各々の分割ステータコアが離れた状態に位置した図である。図９は、図８で示す２つの隣接する分割ステータコアが嵌合した状態を示す図である。図８および図９を参照して、実施の形態４に従った分割ステータコア１０では、付け根から先端部に向かって、変形部１３が外周方向へ延びる点で、付け根から先端部に向かって変形部１３が内周側へ延びる実施の形態３に従った構造と異なる。
【００２９】
このように構成された実施の形態４に従ったステータでも、実施の形態３に従ったステータと同様の効果がある。
【００３０】
（実施の形態５）
図１０は、この発明の実施の形態５に従ったステータにおいて、各々の分割ステータコアが離れた状態に位置した図である。図１１は、図１０で示す２つの隣接する分割ステータコアが嵌合した状態を示す図である。図１０および図１１を参照して、実施の形態５に従ったステータの分割ステータコア１０では、凹部１１および凸部１２が三角形状である点で、実施の形態１から４に従った分割ステータコア１０と異なる。そして凸部１２に変形部１３が設けられている。
【００３１】
このように構成された実施の形態５に従ったステータコアでも、実施の形態１に従ったステータ１と同様の効果がある。
【００３２】
なお、実施の形態５では、凸部１２側に変形部１３を設け、変形部１３が根元から先端に向かって、内周側へ延びるように設ける例を示した。しかしながら、この例に限られず、実施の形態２で示したように、変形部１３が付け根から先端に向かって外周側へ延びるように形成されていてもよい。
【００３３】
また、実施の形態３および４で示すように、凹部１１側へ変形部１３を設けてもよい。
さらに、実施の形態１から５では、凹部１１および凸部１２が矩形であるものを示したが、これに限られるものではなく、円弧形状の凹部１１または凸部１２を設けてもよい。ステータ１は回転電機の一部分であり、モータおよびジェネレータとして機能する。
【００３４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３５】
この発明は、回転電機の分野で用いられる。
【符号の説明】
【００３６】
１  ステータ、１０  分割ステータコア、１１  凹部、１２  凸部、１３  変形部、１４  スリット、１６  ティース、１７  内周面、１８  外周面、１０１  スロット、１１０  第一端面、１１５  傾斜面、１２０  第二端面、１１５，１２５  傾斜辺。
【図１】
0005633159.tif 000002
【図２】
0005633159.tif 000003
【図３】
0005633159.tif 000004
【図４】
0005633159.tif 000005
【図５】
0005633159.tif 000006
【図６】
0005633159.tif 000007
【図７】
0005633159.tif 000008
【図８】
0005633159.tif 000009
【図９】
0005633159.tif 000010
【図１０】
0005633159.tif 000011
【図１１】
0005633159.tif 000012